(57)【要約】【課題】  ファッション性やデザイン性に優れるとともに、乳母車に取付けて物品収納袋として使用することのできるトートバッグを提供する。【解決手段】  トートバッグ１は、開いたときにほぼ矩形の開口部５を形成するように、前布部２と、後布部３と、側布部４とを備える。前布部２および後布部３の上方端部には、持ち手６が形成される。一対の側布部４の上方端部には、乳母車４０の座面の下の両側部に設けられた複数のフック４４，４５に係合する複数のアイレット８，９が設けられている。【選択図】      図２
2005143820.tif 000002
【特許請求の範囲】
【請求項１】
開いたときにほぼ矩形の開口部を形成するように前布部と、一対の側布部と、後布部とを備え、
前記前布部および後布部の上方端部に持ち手が形成され、
前記一対の側布部の上方端部には、乳母車の座面の下の両側部に設けられた複数のフックに係合する複数のアイレットが設けられている、トートバッグ。
【請求項２】
前記持ち手は、前記前布部および後布部の上端縁の近くに開口を設けることによって形成されている、請求項１に記載のトートバッグ。
【請求項３】
前記持ち手は、前記前布部および後布部の上方端部に紐を取付けることによって形成されている、請求項１に記載のトートバッグ。
【請求項４】
前記一対の側布部は、それぞれ、ほぼ半円形の布地で作られ、
前記前布部および後布部は連続した１枚のほぼ矩形の布地で作られている、請求項１〜３のいずれかに記載のトートバッグ。
【請求項５】
座面を下から支える座面形成部材と、
前記座面形成部材の前方領域の両側部に取付けられた一対の前方フックと、
前記座面形成部材の後方領域の両側部に取付けられた一対の後方フックと、
前記一対の前方フックおよび一対の後方フックに取り外し可能に取付けられたトートバッグとを備え、
前記トートバッグは、開いたときにほぼ矩形の開口部を形成するように前布部と、一対の側布部と、後布部とを含み、
前記前布部および後布部の上方端部に持ち手が形成され、
前記一対の側布部に前記前方フックおよび後方フックに係合する複数のアイレットが設けられている、乳母車。
【発明の詳細な説明】
【技術分野】
【０００１】
この発明は、婦人用大型手提げバッグとして知られているトートバッグに関するものであり、特に乳母車を移動操作するときに乳母車に取付けて物品収納袋として使用することのできるトートバッグに関するものである。
【背景技術】
【０００２】
婦人が持ち運ぶトートバッグには、当然のことながら、ファッション性やデザイン性が要求される。トートバッグは、例えば、登録実用新案第３０８３５７１号公報や、特開２００２−２６２９２０号公報に開示されている。
【０００３】
乳幼児を持つ母親が乳母車を移動操作するとき、両手を押棒に添える必要がある。母親がトートバッグを携行している場合には、例えばＳ字状のフックを押棒に取付け、このフックにトートバッグの持ち手を引掛けることが行なわれる。Ｓ字状フックに吊り下げられているトートバッグの上方開口部は閉じているので、物品を収納しようとするときにはトートバッグをＳ字状フックから取り外さなければならない。このような作業は、煩雑である。
【０００４】
一方、乳母車に注目してみると、乳母車に着脱自在に装着して使用する買物かごが知られている。例えば、実開平２−４０６６７号公報に開示された乳母車では、座面の下方に物品を収納するためのかごを取り外し可能に装着している。例えば、乳母車から離れてスーパーマーケット等で買物をするときには、乳母車本体からかごを取り外して持ち運ぶ。
【０００５】
上記のようなかごは、本来、乳母車に装備されて使用することを意図しているものであり、ファッション性やデザイン性については殆ど考慮されていない。
【特許文献１】登録実用新案第３０８３５７１号公報
【特許文献２】特開２００２−２６２９２０号公報
【特許文献３】実開平２−４０６６７号公報
【発明の開示】
【発明が解決しようとする課題】
【０００６】
この発明の目的は、ファッション性やデザイン性に優れるとともに、乳母車に取付けて物品収納袋として使用することのできるトートバッグを提供することである。
【０００７】
この発明の他の目的は、上記のようなトートバッグを取付けた乳母車を提供することである。
【課題を解決するための手段】
【０００８】
この発明に従ったトートバッグは、開いたときにほぼ矩形の開口部を形成するように前布部と、一対の側布部と、後布部とを備える。前布部および後布部の上方端部には、持ち手が形成される。一対の側布部の上方端部には、乳母車の座面の下の両側部に設けられた複数のフックに係合する複数のアイレットが設けられている。
【０００９】
上記構成の本発明によれば、一対の側布部に設けられた複数のアイレットを乳母車のフックに係合させることにより、ファッション性やデザイン性が要求されるトートバッグを乳母車の物品収納袋として使用することが可能になる。
【００１０】
トートバッグの持ち手は、例えば、前布部および後布部の上端縁の近くに開口を設けることによって形成されている。他の実施形態では、持ち手は、前布部および後布部の上方端部に紐を取付けることによって形成されている。
【００１１】
また、一つの実施形態では、一対の側布部は、それぞれ、ほぼ半円形の布地で作られ、前布部および後布部は連続した１枚のほぼ矩形の布地で作られている。
【００１２】
この発明に従った乳母車は、座面を下から支える座面形成部材と、この座面形成部材の前方領域の両側部に取付けられた一対の前方フックと、座面形成部材の後方領域の両側部に取付けられた一対の後方フックと、一対の前方フックおよび一対の後方フックに取り外し可能に取付けられたトートバッグとを備える。トートバッグは、開いたときにほぼ矩形の開口部を形成するように前布部と、一対の側布部と、後布部とを含む。前布部および後布部の上方端部には持ち手が形成され、一対の側布部には前方フックおよび後方フックに係合する複数のアイレットが設けられている。
【発明を実施するための最良の形態】
【００１３】
図１は、この発明の一実施形態であるトートバッグ１の上端開口部５を大きく広げている状態を示す斜視図である。図２は、通常のトートバッグ１として携行されるときの状態を示す斜視図である。
【００１４】
トートバッグ１は、開いたときにほぼ矩形の開口部５を形成するように、前布部２と、後布部３と、一対の側布部４とを備える。図示した実施形態では、各側布部４はほぼ半円形の布地で作られており、前布部２および後布部３は連続した１枚のほぼ矩形の布地で作られている。ここで、本明細書中において使用する「布地」という用語は、織物、皮革、樹脂フィルム等を含むものとして理解されねばならない。要するに、図１および図２に示すような形態の変化を許容する柔らかさを有し、トートバッグとしての美感を保ち得るものであればよい。
【００１５】
前布部２および後布部３の上方端部には、それぞれ、トートバッグ１を手で持ち運ぶための便宜を与える持ち手６が形成されている。図示した実施形態では、持ち手６は、前布部２および後布部３の上端縁の近くに開口７を設けることによって形成されている。
【００１６】
一対の側布部４の上方端部には、乳母車の座面の下の両側部に設けられた複数のフックに係合する複数のアイレット８，９が設けられている。図示した実施形態では、トートバッグ１の一対の側布部４の前方領域にそれぞれ前方アイレット８が設けられ、後方領域にそれぞれ後方アイレット９が設けられている。アイレットは、布地に設けられた小穴であり、強度を保つとともにファッション性を高めるために、小穴の縁に円形のリングを装着している。
【００１７】
トートバッグ１を持ち運ぶときには、一対の持ち手６を手で掴む。すると図２に示すように、前布部２および後布部３の上方端が接触し、開口部５を閉じる。一対の側布部４は、外側に膨出する。図示するように、前方アイレット８および後方アイレット９は、一つのアクセントしてトートバッグ１のデザイン性を高めている。
【００１８】
図３は、他の形態のトートバッグ１０を示している。図示するトートバッグ１０は、開口部１５を形成するように前布部１２と、後布部１３と、一対の側布部１４とを備えている。前布部１２および後布部１３の上方端部には持ち手１６が形成され、一対の側布部１４の上方端部には前方アイレット１８および後方アイレット１９が設けられている。図示したトートバッグ１０が図１に示したトートバッグ１と異なっている点は、持ち手６が前布部１２および後布部１３の上方端部に紐を取付けることによって形成されていることと、一対の側布部１４がメッシュによって形成されていることである。
【００１９】
図４は、さらに他の形態のトートバッグ２０を示している。図示するトートバッグ２０は、開口部２５を形成するように前布部２２と、後布部２３と、一対の側布部２４とを備えている。前布部２２および後布部２３の上方端部には持ち手２６が形成され、一対の側布部２４の上方端部には前方アイレット２８および後方アイレット２９が設けられている。図示したトートバッグ２０が図３に示したトートバッグ１０と異なっている点は、前布部２２および後布部２３の上端部そのものが持ち手２６になることである。
【００２０】
図５は、この発明の一実施形態である乳母車４０を示している。乳母車４０は、座面を下から支える座面形成部材として機能する一対の座席支持棒４１を備える。一対の座席支持棒４１は、乳母車の幅方向の両側部において、前後方向に延びている。図示する乳母車４０は、図１および図２に示すトートバッグ１を座面の下に取付けている。
【００２１】
図６〜図１０は、トートバッグ１を開いた状態で乳母車４０の座面の下に取付けるための構造を説明するための図である。図６、図９および図１０に示すように、各座席支持棒４１の前方領域の内側面に前方止め具４２を用いて前方フック４４が取付けられ、また各座席支持棒４１の後方領域の内側面に後方止め具４３を用いて後方フック４５が取付けられている。図７および図８は前方フック４４の詳細構造を示している。図示するように、前方フック４４は、前方止め具４２を挿通させる貫通穴４４ａを有する。後方フック４５は前方フック４４と実質的に同じ構造を有している。
【００２２】
トートバッグ１を乳母車４０の座面の下に取付けて物品収納袋として使用するときには、トートバッグ１の一対の側布部４の前方領域に設けられている前方アイレット８を前方フック４４に係合させ、一対の側布部４の後方領域に設けられている後方アイレット９を後方フック４５に係合させる。このようにトートバッグ１を乳母車４０の座面の下に取付けた状態では、トートバッグ１の開口部５が大きく開いているので、物品収納袋として便利に使うことができる。
【００２３】
トートバッグ１のアイレット８，９にかかる荷重を小さくするために、好ましくは、前方および後方フック４４，４５を前後方向への回動を許容するように取付ける。
【００２４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２５】
この発明は、婦人用大型手提げバッグとして知られているトートバッグに利用されるものであり、特に乳幼児を持つ母親が使用するトートバッグとして有利に利用され得る。また、物品を収納する袋を必要とする乳母車にも有利に利用され得る。
【図面の簡単な説明】
【００２６】
【図１】この発明の一実施形態であるトートバッグの開いた状態を示す斜視図である。
【図２】図１に示したトートバッグの通常の使用状態を示す斜視図である。
【図３】この発明の他の実施形態であるトートバッグの開いた状態を示す斜視図である。
【図４】この発明のさらに他の実施形態であるトートバッグの開いた状態を示す斜視図である。
【図５】この発明に従った乳母車の一例を示す側面図である。
【図６】乳母車の座席支持棒にトートバッグを取付けている状態を示す部分断面図である。
【図７】フックを示す側面図である。
【図８】フックを示す正面図である。
【図９】トートバッグがフックによって吊り下げられている状態を示す内側方から見た図である。
【図１０】図９の線Ａ−Ａに沿って見た断面図である。
【符号の説明】
【００２７】
１、１０、２０  トートバッグ、２、１２、２２  前布部、３、１３、２３  後布部、４、１４、２４  側布部、５、１５、２５  開口部、６、１６、２６  持ち手、８、１８、２８  前方アイレット、９、１９、２９  後方アイレット、４０  乳母車、４１  座席支持棒、４２  前方止め具、４３  後方止め具、４４  前方フック、４４ａ  貫通穴、４５  後方フック。
【図１】
2005143820.tif 000003
【図２】
2005143820.tif 000004
【図３】
2005143820.tif 000005
【図４】
2005143820.tif 000006
【図５】
2005143820.tif 000007
【図６】
2005143820.tif 000008
【図７】
2005143820.tif 000009
【図８】
2005143820.tif 000010
【図９】
2005143820.tif 000011
【図１０】
2005143820.tif 000012